(57)【特許請求の範囲】
【請求項１】
電子番組表をそれぞれ表示する複数の電子番組表表示装置と、前記複数の電子番組表表示装置とネットワークで接続されているサーバ装置と、を含む電子番組表表示システムであって、
既存の規格で規定されている既存ジャンルに追加する一のユーザの独自ジャンルを、他のユーザの有する所定の視聴傾向を利用して登録する際、前記サーバ装置を経由して収集した前記他のユーザの前記既存ジャンルの視聴番組に紐付けられる番組のメタデータを、前記一のユーザの独自ジャンルに対応する番組メタデータとして登録することを特徴とする電子番組表表示システム。
【請求項２】
前記独自ジャンルは、ジャンル名と、前記独自ジャンルを特徴付ける具体的な番組メタデータとが対応付けられて設定されていることを特徴とする請求項１記載の電子番組表表示システム。
【請求項３】
前記具体的な番組メタデータは、所定の番組の番組メタデータから取得されることを特徴とする請求項２記載の電子番組表表示システム。
【請求項４】
電子番組表をそれぞれ表示する複数の電子番組表表示装置と、前記複数の電子番組表表示装置とネットワークで接続されているサーバ装置と、を含む電子番組表表示システムの制御方法であって、
既存の規格で規定されている既存ジャンルに追加する一のユーザの独自ジャンルを、他のユーザの有する所定の視聴傾向を利用して登録する際、前記サーバ装置を経由して収集した前記他のユーザの前記既存ジャンルの視聴番組に紐付けられる番組のメタデータを、前記一のユーザの独自ジャンルに対応する番組メタデータとして登録する工程を有することを特徴とする制御方法。
【請求項５】
前記独自ジャンルは、ジャンル名と、前記独自ジャンルを特徴付ける具体的な番組メタデータとが対応付けられて設定されていることを特徴とする請求項４記載の制御方法。
【請求項６】
前記具体的な番組メタデータは、所定の番組の番組メタデータから取得されることを特徴とする請求項５記載の制御方法。
【発明の詳細な説明】
【技術分野】
【０００１】
本発明は、テレビジョン放送の番組を表示する電子番組表表示システムおよび制御方法の技術に関する。
【背景技術】
【０００２】
テレビジョン放送の映像・音声信号に文字情報などを含むデジタルデータを重畳した文字多重放送が実用化されている。文字多重放送で提供される情報の一つとして、テレビジョン放送の放送番組（以下、「番組」という）の番組名や放送時間等を含む電子番組表がある。電子番組表は、テレビジョンなどの表示装置に表示される。なお、電子番組表の配信方法として、文字多重放送のほかに、個別の電波領域を使用して配信する方法、インターネットやケーブルなどのネットワークを介して配信する方法が使用される場合がある。
【０００３】
これらの、電子番組表は、電子番組ガイド（ＥＰＧ：Electronic Program Guide）を使用して配信される場合がある。電子番組ガイドを使用した電子番組表では、番組情報（番組メタデータ）を基に、例えば、ＡＲＩＢ規格で規定されている既存のジャンルの枠内でユーザの嗜好情報にマッチングする特定ジャンルの番組を選択し、画面上に表示して、その画面上からユーザに番組選択を容易に行わすことができた（図１２参照）。
【０００４】
ユーザへの番組の推薦方法は、ユーザ嗜好データの取得の方法によって異なり、例えば、初期にユーザの興味に関する情報を登録してもらい、その情報に基づいて、番組を推薦する初期興味登録方式、また、ユーザが過去に視聴した番組の履歴を利用して、番組を推薦する視聴履歴利用方式、また、他のユーザの視聴履歴を利用して、番組を推薦する協調フィルタリング方式などの方法があった。
【０００５】
しかし、視聴履歴利用方式などのように、単純にユーザの視聴履歴などを基に収集したメタデータの総和、または平均などを用いて、番組を選択する場合、履歴がある程度蓄積されないと、ユーザの嗜好に正しく合致した番組を推薦することができない。更に、視聴履歴利用方式では、メタデータ間の関係性がなまってしまい、充分な個人化はできなかった。また、履歴を積み重ねることにより、例えば、ジャンルなど、履歴として重なり易い項目（ユーザが嗜好するものとして検出されやすい項目）と、出演者など、履歴として要素が広がり易い項目（ユーザが嗜好するものとして検出されにくい項目）とで、重み付けに偏りが生じてしまう場合がある。
【０００６】
そこで、関連技術として、ジャンルなど、履歴として重なり易い項目と、出演者など、履歴として要素が広がり易い項目とで、適切に重み付けを行い上記の問題点を解消する技術が提案されている（例えば、特許文献１参照）。
【先行技術文献】
【特許文献】
【０００７】
【特許文献１】特開２００７−２００３３９号公報
【発明の概要】
【発明が解決しようとする課題】
【０００８】
しかしながら、上述の関連技術では、ＡＲＩＢ規格で規定されている既存のジャンルを用いて、その既存のジャンルの枠内でユーザの嗜好情報にマッチングする特定ジャンルの番組を選択するに過ぎない。例えば、ＡＲＩＢ規格ではジャンルとして「アニメ」の内訳には「国内アニメ」と「海外アニメ」との小分類が存在するのみで十分に細分化されてはいないので、各ユーザの嗜好に合致した番組を取得する精度が低くなる場合もあった。
【０００９】
ユーザの嗜好情報にマッチングする番組を精度良く取得するためには、ユーザ独自のジャンルを生成し、そのユーザ独自のジャンルを用いて番組を選択可能とすることが好ましい。すなわちＡＲＩＢ規格で規定されている既存のジャンル（既存ジャンル）以外のユーザ独自のジャンル（独自ジャンル）を利用できればよい。
【００１０】
本発明は、以上のような課題を解決するためになされたもので、ユーザの嗜好情報にマッチングする番組を精度良く取得して表示することができる電子番組表表示システムおよび制御方法を提供することを目的とする。
【課題を解決するための手段】
【００１１】
本発明の電子番組表表示システムは、電子番組表をそれぞれ表示する複数の電子番組表表示装置と、前記複数の電子番組表表示装置とネットワークで接続されているサーバ装置と、を含む電子番組表表示システムであって、既存の規格で規定されている既存ジャンルに追加する一のユーザの独自ジャンルを、他のユーザの有する所定の視聴傾向を利用して登録する際、前記サーバ装置を経由して収集した前記他のユーザの前記既存ジャンルの視聴番組に紐付けられる番組のメタデータを、前記一のユーザの独自ジャンルに対応する番組メタデータとして登録することを特徴とする。
【００１２】
また、本発明の制御方法は、電子番組表をそれぞれ表示する複数の電子番組表表示装置と、前記複数の電子番組表表示装置とネットワークで接続されているサーバ装置と、を含む電子番組表表示システムの制御方法であって、既存の規格で規定されている既存ジャンルに追加する一のユーザの独自ジャンルを、他のユーザの有する所定の視聴傾向を利用して登録する際、前記サーバ装置を経由して収集した前記他のユーザの前記既存ジャンルの視聴番組に紐付けられる番組のメタデータを、前記一のユーザの独自ジャンルに対応する番組メタデータとして登録する工程を有することを特徴とする。
【発明の効果】
【００１３】
本発明によれば、ユーザの嗜好情報にマッチングする番組を精度良く取得して表示することが可能となる。
【図面の簡単な説明】
【００１４】
【図１】本発明の実施の形態に係る電子番組表を示す図である。
【図２】本発明の実施の形態に係る表示装置等の構成図である。
【図３】本発明の実施の形態に係るジャンル管理テーブルを説明する図である。
【図４】本発明の実施の形態に係る「番組メタデータ」を説明する図である。
【図５】本発明の実施の形態に係る電子番組表を示す図である。
【図６】本発明の実施の形態に係る番組名と「番組メタデータ」とが同時に表示される図である。
【図７】本発明の実施の形態に係るポイント管理テーブルを説明する図である。
【図８】本発明の実施の形態に係るジャンル管理テーブルに登録された番組の表示方法の一例を示す図である。
【図９】本発明の実施の形態に係るジャンル管理テーブルに登録された番組の表示方法の一例を示す図である。
【図１０】本発明の実施の形態に係る表示装置を複数人で共有する場合を示す図である。
【図１１】本発明の実施の形態に係る動作を示すフローチャートである。
【図１２】本発明と関連する電子番組表を示す図である。
【発明を実施するための形態】
【００１５】
以下、本発明の実施の形態について図面を参照して詳細に説明する。図１に示す本実施の形態における電子番組表は、その電子番組表を表示する表示部を備える表示装置に表示される。当該表示装置は、ＴＶ受信機、パーソナルコンピュータ、携帯電話機等の既知の電子番組表の表示装置を広く含む。
【００１６】
本実施の形態における表示装置あるいはその表示装置の管理装置等（以下、「表示装置等」という）の構成の一例を図２に示す。表示装置等は、ソフトウェアを実行するＣＰＵ１０、データ記憶部２０、メインメモリ３０、入力装置４０および出力装置５０を備える情報処理装置であり、それぞれデータ転送等のためのバス６０を介して接続されている。
【００１７】
データ記憶部２０は、アプリケーションソフトウェア、ＡＰＩミドルウェア、デバイスドライバ等のＣＰＵ１０によって実行されるソフトウェアのプログラムコードや各テーブル等のデータを格納する。メインメモリ３０は、ＣＰＵ１０の処理により生成されるデータ等を一時的に保存する。入力装置４０は、テレビジョン放送の映像・音声信号や文字情報を受け付けたり、ユーザがデータ等を入力したりするリモコン、キーボード、マウス等である。出力装置５０は、外部送信可能なインタフェースや表示部としてのディスプレイ等である。
【００１８】
図１に示す本実施の形態における電子番組表は、ＡＲＩＢ規格で規定されている既存のジャンル（既存ジャンル）以外のユーザ独自のジャンル（独自ジャンル）が設けられている。独自ジャンルは、ユーザの嗜好に合致したジャンルである。独自ジャンルは、ＡＲＩＢ規格で規定されている既存ジャンル（例えば、アニメ、ドラマ、サッカー等）の詳細ジャンル（例えば、“カッコイイ系のスポーツもののアニメ”、“高校生ものの恋愛ドラマ”、“国際試合で解説者がｘｘ氏のサッカー中継”）であってもよい。以下、独自ジャンルの作成手法について説明する。
【００１９】
第一の作成手法は、ユーザが電子番組表の表示装置等の所定の入力装置を操作して、独自ジャンルの「ジャンル名」を、例えば、図３に示すような、ジャンル管理テーブルに新規に登録する。ジャンル管理テーブル等は所定の表示部に表示されユーザがそれを視認しながら操作を行うことであってよい。
そして、新規に登録された「ジャンル名」に紐付けられる「番組メタデータ」をジャンル管理テーブルに登録する。例えば、「ジャンル名」として“カッコイイ系のスポーツもののアニメ”には、「制作会社」として“○○会社”、および、「作画者」として“山田太郎”が紐付けられてよい。また、「ジャンル名」として“ナンセンスで不思議なコメディもののアニメ”には、「制作会社」として“××会社”、および、「作画者」として“鈴木花子”が紐付けられてよい。なお、「番組メタデータ」としては、「制作会社」、「作画者」の他、「出演者」、「監督」等のその番組の属性情報が広く含まれ、従来の電子番組ガイドに従った「番組メタデータ」以外に将来的に定義されるものであってもよく、以下の説明中でも同様である。
【００２０】
電子番組表に関するデータが、文字多重放送や、個別の電波領域あるいはインターネットやケーブルなどのネットワークを介して配信された表示装置あるいはその表示装置の管理装置等は、その電子番組表に関するデータのうちの「番組メタデータ」に基づいて、上記のジャンル管理テーブルの「番組メタデータ」欄を参照し、合致した場合、その番組をその「番組メタデータ」に紐付けられている「ジャンル名」に分類して表示する。すなわち、例えば、図４に示すように、番組として「キャプテンマン翼」があり、その「番組メタデータ」のうち、「制作会社」は“○○会社”、および、「作画者」は“山田太郎”である場合、表示装置等の制御部は、「番組メタデータ」のうちの、「制作会社」は“○○会社”、および、「作画者」は“山田太郎”の情報を取得し、その後、ジャンル管理テーブルの「番組メタデータ」欄を参照し、「制作会社」および「作画者」が一致する「ジャンル名」として“カッコイイ系のスポーツもののアニメ”を検索する。そして、例えば、図５に示すように「ジャンル名」の“カッコイイ系のスポーツもののアニメ”に当該ジャンルに属すると分類された番組の番組名「キャプテンマン翼」を表示する。
【００２１】
第二の作成手法は、ユーザが表示装置に既存の手法により表示された電子番組表から独自ジャンルとして新規に作成したいジャンルに該当するとユーザ自身で判断した番組を選択し、その番組名が表示された状態で、その番組と紐付けられた独自ジャンルの「ジャンル名」を、表示装置等の所定の入力装置を操作して、登録する。例えば、図６に示すように、独自ジャンルの「ジャンル名」として“カッコイイ系のスポーツもののアニメ”を登録し、「番組メタデータ」のうちから「制作会社」として“○○会社”、および、「作画者」として“山田太郎”のみを選択すると、それらの２つの「番組メタデータ」のみが「ジャンル名」として紐付けられる。これにより、ジャンル管理テーブルには、新規「ジャンル名」“カッコイイ系のスポーツもののアニメ”に紐付けられて「番組メタデータ」としての「制作会社」“○○会社”、および、「作画者」“山田太郎”のみが登録される。このようにするとユーザがまったく手がかり無しに「番組メタデータ」を入力するのではなく、参考情報に基づいて入力することができるのでユーザの便宜を図ることができる。なお、「作画者」“山田太郎”をヒントに「作画者」“佐藤次郎”に変更入力することができてもよい。
【００２２】
第三の作成手法について説明する。まず、第一の作成手法と同様に、ユーザが電子番組表の表示装置等の所定の入力装置を操作して、独自ジャンルの「ジャンル名」をジャンル管理テーブルに新規に登録する。ジャンル管理テーブル等は所定の表示部に表示されユーザがそれを視認しながら操作を行うことであってよい。
そして、新規に登録された「ジャンル名」に紐付けられる「番組メタデータ」をジャンル管理テーブルに登録する。なお、第二の作成手法と同様に、ユーザが電子番組表の表示装置に既存の手法により表示された電子番組表から番組を選択し、独自ジャンルの「ジャンル名」および「番組メタデータ」を登録することであってもよい。
そして、ユーザが電子番組表の表示装置等の所定の入力装置を操作して、例えば、「番組メタデータ」のうちから「出演者」、「制作会社」、「監督」、および「作画者」のみを指定し、「出演者」が一致すると１ポイント付与し、「制作会社」が一致すると２ポイント付与し、「監督」が一致すると２ポイント付与し、「作画者」が一致すると１ポイント付与することとするポイント管理テーブルを作成する（図７参照）。
表示装置等は、ジャンル管理テーブルおよびポイント管理テーブルを参照して、「番組メタデータ」のうち指定された属性のポイントの合計値がデータ記憶部２０の所定の閾値以上である番組同士を抽出して独自ジャンルの「ジャンル名」に属するものとしてグルーピングして所定の表示部に表示する。
ユーザが電子番組表の表示装置等の所定の入力装置を操作して、上記のグルーピング結果に対して補正を行う。例えば、グルーピングされていない番組を追加したり、グルーピングされている番組を削除したりする。
表示装置等は、ユーザの補正により追加された番組の「番組メタデータ」のうち、既にグルーピングされている番組の「番組メタデータ」に一致しないデータ（例えば、新しい「音楽担当者」の氏名）を、その「ジャンル名」に紐付けられる「番組メタデータ」としてジャンル管理テーブルに新たに登録し、ポイント管理テーブルにも所定のポイントが付与されるものとして新たに登録する。また、ユーザの補正により追加された番組の「番組メタデータ」のうち、既にグルーピングされている番組の「番組メタデータ」に一致するデータ（例えば、同じ「監督」の氏名）が存在する場合は、その「監督」“△△”のポイントに重み付けをする。すなわち、ポイント管理テーブルの「監督」が一致すると２ポイント付与することを３ポイント付与することへ変更する。これは、ユーザがわざわざ個別に指定した番組は当該ジャンルをより正確に特徴付ける「番組メタデータ」を含むと考えられるからである。
上記のユーザの補正による補正のフィードバックを繰り返すと、ユーザの主観的な嗜好を反映した独自ジャンルが形成される。なお、同一番組が複数のジャンルに属することであってもよい。
【００２３】
第四の作成手法について説明する。表示装置等とネットワーク接続されている所定のサーバに、上述した第一から第三の作成手法により作成されたユーザ各自の独自ジャンルの情報を格納する。そして、例えば、Ａさんが「格闘もののアニメ好き」である傾向を利用して、ＢさんがＢさんの表示装置等から独自ジャンルの「ジャンル名」“格闘もののアニメ”を、ジャンル管理テーブルに新規に登録して、新規に登録された「ジャンル名」に紐付けられる「番組メタデータ」をジャンル管理テーブルに登録する際に、Ａさんの視聴履歴（Ａさんの表示装置等）のうちアニメについて「格闘もののアニメ」という独自ジャンルに属する番組とみなして所定のサーバを経由して収集し、その収集された番組の「番組メタデータ」をジャンル管理テーブルに登録する。
【００２４】
図８は、ジャンル管理テーブルに登録された番組の表示方法の一例を示す。ジャンル管理テーブルの作成方法は、上述した第一から第四の作成手法の何れでもよい。また、これらの作成手法を複数組み合わせて作成してもよい。
【００２５】
出力装置５０には、まず、図８に示す、アニメ２０１、スポーツ２０２など、既存ジャンルが表示される。このうち、ユーザが入力装置４０を用いてアニメ２０１を選択すると、管理テーブルに登録された「ジャンル名」が表示される。ここでは、図８に示す、熱血ロボットアニメ２１１、カッコイイ系のスポーツもの２１２、カワイイ系の超能力もの２１３が例示される。このうち、ユーザがカワイイ系の超能力もの２１３を選択すると、ジャンル管理テーブルに登録された図８に示す、番組２２１〜２２３が表示される。この表示より、ユーザは録画予約や視聴予約を行うことができる。
【００２６】
図９は、ジャンル管理テーブルに登録された番組の表示方法の他の例を示す。入力装置４０を介してユーザが日付を指定すると、出力装置５０には、図９に示すように、指定された日に放送される番組表が表示される。図９に示す番組表の列は、ジャンル管理テーブルに登録された「ジャンル名」を示し、図９に示す番組表の行は、番組の放送時間帯を示す。各番組について、放送チャンネル、及び番組名が表示される。この場合、同一独自ジャンル内で、放送日時が同じ番組については、表示が重なることになる。例えば、図９の「かっこいい系のスポーツもの」は、１９：００台に２つの番組が放送される。放送日時が重複した場合、番組の表示に影を設け、複数番組が放送されることを示す。このとき、ユーザの嗜好に一番近いと判断された番組を、一番手前に表示することが好ましい。この図９に示す番組表を利用して、ユーザは録画予約や視聴予約を行うことができる。このように、時間軸に沿って「ジャンル名」ごとに番組を表示することにより、ユーザは視覚的に番組の放送時間を知ることができる。それによって、予約や視聴する番組の選択をよりスムーズに行うことができる。
【００２７】
上述した各作成手法により独自ジャンルが作成されると、ユーザが新しい傾向の番組の面白さに目覚めたときに、従来の傾向とは異なるジャンルで管理できるので、例えば、新規「ジャンル名」“かわいい系のスポーツもののアニメ”と従来の“カッコイイ系のスポーツもののアニメ”の特徴が混ざることなく（単なるスポーツものというように特徴が薄れてしまうことなく）管理することができる。
【００２８】
また、表示装置を家族等の複数人で共有する場合、例えば、図１０に示すように、特定のジャンルの一例としての“ドラマ”（既存の規定済みジャンル）については、父親、母親、子供の各人別にそれぞれの嗜好に合致した独自ジャンルが設定されていて選択できることで利便性が向上する。
【００２９】
本実施の形態における電子番組表は、図１１のフローチャートに示すように、表示装置等のＣＰＵ１０により実現される所定の制御部による制御によりデータ記憶部２０に電子番組表に関するデータが記憶され（Ｓ１０１）、その記憶されたデータのうちデータ記憶部２０のジャンル管理テーブルに登録された独自ジャンル（プルダウン形式等で選択可能）に合致するものが独自ジャンルに該当する番組として分類され（Ｓ１０２）、表示装置の表示部に出力されることで表示される（Ｓ１０３）。上記の電子番組表に関するデータとしての、表示装置等で今後放送される予定の番組や録画済みの番組のデータ中から、ユーザが指定した独自ジャンルに属する番組を検索して分類表示し、ユーザの番組選択等を支援する。
【００３０】
なお、上述する各実施の形態は、本発明の好適な実施の形態であり、本発明の要旨を逸脱しない範囲内において種々変更実施が可能である。例えば、表示装置等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【符号の説明】
【００３１】
１０    ＣＰＵ
２０    データ記憶部
３０    メインメモリ
４０    入力装置
５０    出力装置
６０    バス
【図１】
0005603047.tif 000002
【図２】
0005603047.tif 000003
【図３】
0005603047.tif 000004
【図４】
0005603047.tif 000005
【図５】
0005603047.tif 000006
【図６】
0005603047.tif 000007
【図７】
0005603047.tif 000008
【図８】
0005603047.tif 000009
【図９】
0005603047.tif 000010
【図１０】
0005603047.tif 000011
【図１１】
0005603047.tif 000012
【図１２】
0005603047.tif 000013